(57)【要約】      （修正有）【課題】商品選択釦及び商品コラムの対応付けの設定が第三者により恒久的に変更され続けることを防止する。【解決手段】複数の商品選択釦と、複数の商品コラムと、第１暗証コード（Ａ）の正誤を判別する判別部と、複数の商品選択釦と複数の商品コラムとを対応付ける設定部と、Ａが正であると判別された場合、設定部での対応付けを許可する制御部と、設定部での対応付けを示す第１情報を記憶する第１記憶部と、第１情報に基づいて、複数の商品選択釦に対応する複数の商品コラム内の商品を販売する販売部と、を備えた自動販売機であって、複数の継続する有効期間と複数の第２暗証コード（Ｂ）との対応付けを示す第２情報を記憶する第２記憶部、を備え、判別部は、Ａと、Ａが入力された時点を含む有効期間に対応付けられるＢとから、Ａの正誤を判別し、制御部は、Ａが誤であると判別された場合、設定部での対応付けを禁止してなる。【選択図】図１
2007226676.tif 000002
【特許請求の範囲】
【請求項１】
複数の商品選択釦と、
複数の商品コラムと、
第１暗証コードを入力するための操作部と、
前記操作部から入力される前記第１暗証コードの正誤を判別する判別部と、
前記複数の商品選択釦と前記複数の商品コラムとを対応付ける設定部と、
前記判別部が前記第１暗証コードを正であると判別した場合、前記設定部での対応付けを許可する制御部と、
前記設定部での対応付けを示す第１情報を記憶する第１記憶部と、
前記第１情報に基づいて、前記複数の商品選択釦に対応する前記複数の商品コラム内の商品を販売する販売部と、
を備えた自動販売機において、
複数の継続する有効期間と複数の第２暗証コードとの対応付けを示す第２情報を記憶する第２記憶部、を備え、
前記判別部は、前記第１暗証コードと、前記第１暗証コードが入力された時点を含む前記有効期間に対応付けられる前記第２暗証コードとから、前記第１暗証コードの正誤を判別し、
前記制御部は、前記判別部が前記第１暗証コードを誤であると判別した場合、前記設定部での対応付けを禁止する、
ことを特徴とする自動販売機。
【請求項２】
前記判別部は、前記第１暗証コードと、前記第１暗証コードが入力された時点を含む前記有効期間に対応付けられる前記第２暗証コードと、が一致しない場合、前記第１暗証コードを誤と判別する、
ことを特徴とする請求項１に記載の自動販売機。
【請求項３】
前記判別部は、前記第１暗証コードと、前記第１暗証コードが入力された時点を含む前記有効期間より前の前記有効期間に対応付けられる前記第２暗証コードと、が一致する場合、前記第１暗証コードを誤と判別する、
ことを特徴とする請求項１に記載の自動販売機。
【請求項４】
現在時刻を計時する計時部と、
前記計時部の計時時刻の過去時刻への変更を検出する検出部と、を備え、
前記制御部は、前記検出部が前記計時部の計時時刻の過去時刻への変更を検出した場合、前記設定部での対応付けを禁止する、
ことを特徴とする請求項１乃至３の何れかに記載の自動販売機。
【発明の詳細な説明】
【技術分野】
【０００１】
本発明は、例えば接客面に配置された複数の商品選択釦のうちの１つを押下すると、この押下した商品選択釦に対応する商品コラムに収容された商品を販売する自動販売機に関する。
【背景技術】
【０００２】
自動販売機には、例えば前扉の接客面に商品のサンプルとともに商品選択釦が複数組配置され、本体内の複数の商品コラムにはサンプルに対応する複数種類の商品がそれぞれ収容されているものがある。この自動販売機は、商品選択釦が押下される都度、押下された釦に対応する商品コラム内の商品を例えば１つずつ払い出して販売するようになっている。この販売動作を制御するために、自動販売機は、複数の商品選択釦と複数の商品コラムとをそれぞれ対応付けた商品コラムテーブルを例えばＲＡＭ等に予め記憶している。
【０００３】
図８を参照しつつ、前述した商品コラムテーブル９００、９００’の設定及びその変更について一例を挙げて説明する。同図は、自動販売機９の前扉９１の接客面におけるサンプル９３ａの配置例、商品コラム９６における商品の収容例、及び商品コラムテーブル９００、９００’の構成例を示す模式図である。
【０００４】
図８（ａ）及び図８（ｄ）に例示されるように、自動販売機９の前扉９１の接客面には、サンプル９３ａと商品選択釦（A,B,C…）９３ｂとが１つずつ対になって配置されている。また、図８（ｂ）及び図８（ｅ）に例示されるように、前扉９１の裏面（接客面と反対側の面）及び本体９２は商品コラム（1,2,3,…）９６を備えており、これらはサンプル９３ａに対応する商品を収容している。この自動販売機９は、以下の動作を実行するように構成されている。即ち、顧客が硬貨投入口９４に硬貨を投入し商品選択釦９３ｂを押下すると、この押下した釦９３ｂに対応する商品コラム９６から所定の払い出し手段（不図示）により商品が払い出され、シュータ９７を通じて商品取出口９５に自然落下する。尚、図８（ａ）乃至図８（ｃ）に例示される自動販売機９の構成は、図８（ｄ）乃至図８（ｆ）に例示される自動販売機９の構成と同一である。
【０００５】
自動販売機９は例えば２種類の商品Ｘ、Ｙを販売するように設定されているが、以下述べるように、図８（ａ）、図８（ｂ）、図８（ｃ）の例示と、図８（ｄ）、図８（ｅ）、図８（ｆ）の例示とでは、接客面におけるサンプル９３ａ及び商品選択釦９３ｂの配置が互いに異なるものとなっている。ここで、２種類の商品とは、後述するように、異なる２つのメーカがそれぞれ製造した商品を意味するものとする。
【０００６】
図８（ａ）の例示では、前扉９１の接客面において、M,N以外の商品選択釦９３ｂに対し同一商品Ｘのサンプルが対応付けられ、M,Nの商品選択釦９３ｂに対し同一商品Ｙのサンプルが対応付けられている。一方、図８（ｂ）の例示では、前扉９１の裏面及び本体９２において、7,8番以外の商品コラム９６には同一商品Ｘが収容され、7,8番の商品コラム９６には同一商品Ｙが収容されている。以上の商品選択釦９３ｂと商品コラム９６との対応付けは、図８（ｃ）に例示される商品コラムテーブル９００に基づくものである。
【０００７】
図８（ｄ）の例示では、前扉９１の接客面において、C,D以外の商品選択釦９３ｂに対し同一商品Ｘのサンプルが対応付けられ、C,Dの商品選択釦９３ｂに対し同一商品Ｙのサンプルが対応付けられている。一方、図８（ｅ）に例示される商品コラム９６の収容のし方は、前述した図８（ｂ）に例示される商品コラム９６の収容のし方と同じである。以上の商品選択釦９３ｂと商品コラム９６との対応付けは、図８（ｆ）に例示される商品コラムテーブル９００’に基づくものである。
【０００８】
ここで、例えば商品コラム９６の収容のし方は同じままで接客面におけるサンプル９３ａの配置を相互に変更するためには、例えば商品コラムテーブル９００と商品コラムテーブル９００’とを相互に変更すればよいことになる。このような変更は、通常、例えば前扉９１の裏面に設けられた所定のコントロールパネル（不図示）への入力を通じて可能となっている。また、もし例えば前述した商品Ｙの部分が例えば全て空き状態である場合は、このコントロールパネルへの入力を通じて、サンプル９３ａが無い（空き状態の）商品選択釦９３ｂと、空き状態の商品コラム９６との対応付けを禁止できるようになっている。
【０００９】
ところで、自動販売機９の使用形態には、大別して、（１）自動販売機９の使用者がこれを購入し自らの判断で選定した商品を取り扱う方式と、（２）例えば商品を製造するメーカから使用者に自動販売機９が貸与され、使用者はこのメーカの指定する商品のみを取り扱う義務を有する方式と、がある。１番の方式では、使用者は自動販売機９そのものの所有権を有するため、取り扱う商品は自由であり他者から何ら拘束されないが、２番の方式では、取り扱う商品を自由に選択することができず貸与者たるメーカの意思に拘束される。しかし、２番の方式をとる場合でも、自動販売機９で利益を上げようとする使用者にとって、指定された商品よりも売れ行きの良い他の商品がある場合には、貸与者との契約に反してもその商品を扱おうとする（「やどかり商法」）意思が働くことは否めない。
【００１０】
ここで、前述した図８の例示において、例えば多数を占める商品Ｘは貸与者から指定された商品である一方、少数の商品Ｙは指定外の商品であると仮定する。この場合、図８（ａ）及び図８（ｄ）に例示されるサンプル９３ａの配置は、その何れもが前述した「やどかり商法」の被害を受けた配置とみることができる。例えば、図８の配置において実線で囲まれた位置がいわゆる「売れ筋」のサンプル９３ａを配置するべき位置である一方、点線で囲まれた位置が、「売れ筋」ではないサンプル９３ａを配置するべき位置であるとする。「売れ筋」の位置とは、接客面上で顧客に購買意欲がわき易いサンプル位置を意味し、商品やそのメーカ毎に少しずつ異なるものとされている。同じ「やどかり商法」であっても、指定外のサンプル９３ａが「売れ筋」ではない位置に配置される状態（図８（ａ））に比べて、指定外のサンプル９３ａが「売れ筋」の位置に配置される状態（図８（ｂ））は、指定した商品Ｘを販売しようとする自動販売機９の貸与者にとって被害がより大きいと言える。商品コラム９６は同じままで商品コラムテーブル９００、９００’を変更することにより、このような「売れ筋」の位置を容易に変更できてしまうとすれば、これは更なる問題となる。
【００１１】
また、前述した図８の例示において、商品Ｙの部分が全て空き状態となっている場合、前述したコントロールパネルへの入力を通じて、商品コラムテーブル９００、９００’における空き状態に該当する商品選択釦９３ｂと商品コラム９６との対応付けを新規に行うとともに、商品Ｙを補充するといったやり方も「やどかり商法」と言える。
【００１２】
このような問題は、例えば商品がタバコの場合に生じ易いとされている。つまり、市場占有率の相対的に小さなタバコのメーカが、タバコ屋の店先に自動販売機９を設置してもらっている場合、市場占有率の相対的に大きなタバコのメーカの担当者がこのタバコ屋と交渉し、この自動販売機９における一部の商品コラム９６を使用して自社のタバコを不正に販売してしまう。
【００１３】
以上の問題を解消するために、自動販売機９は、商品コラムテーブル９００、９００’を変更するべく前述したコントロールパネルを通じて入力する場合、事前にパスワード（暗証コード）の入力を要求するように構成されている（例えば、特許文献１参照。）。即ち、自動販売機９は、正しいパスワードが入力された場合に限り、商品コラムテーブル９００、９００’の変更が許可されるように構成されている。このパスワードには、（イ）自動販売機９に固有の数字や記号等が予め定められた固定式のもの、（ロ）予め定められた計算式により日付等の数字から計算して得られる可変式のもの、（ハ）予め定められたパスワードを入力した場合に限りこのパスワードを変更可能な可変式のもの、（ニ）乱数等の発生によりその都度パスワードが生成される可変式のもの、等がある。
【００１４】
例えば自動販売機９の貸与者たるメーカの担当者のみがパスワードを使用できるように取り決めておけば、自動販売機９の使用者又は他のメーカの担当者（第三者）が前述した商品コラムテーブル９００、９００’を変更することはできない。これにより、自動販売機９は、空いたところに商品Ｙが入れられたり、商品Ｘの一部が商品Ｙに交換された上に「売れ筋」のサンプルの位置まで奪われたりという被害を受けずに済む。
【特許文献１】特開２００１−２０９８４８号公報
【発明の開示】
【発明が解決しようとする課題】
【００１５】
しかしながら、前述した（イ）の固定式の場合、もし例えば貸与者たるメーカの担当者から使用者又は他のメーカの担当者（第三者）にパスワードが一度漏洩すれば、第三者にとって、自動販売機９の商品コラムテーブル９００、９００’は恒久的に変更可能なものとなってしまう。また、前述した（ロ）の可変式の場合も、もし例えば貸与者から第三者に前述した計算式が一度漏洩すれば、第三者はこの計算式に基づいてパスワードを生成することができるため、商品コラムテーブル９００、９００’はやはり恒久的に変更可能なものとなってしまう。この場合、「やどかり商法」の被害を受けた自動販売機９が「売れ筋」のサンプルの位置を奪われ続けることにより、この自動販売機９の貸与者は例えば自社商品の売上げ上の損失を受け続ける虞がある。
【００１６】
前述した（ハ）の場合、もし貸与者がパスワードの漏洩に気付けば、これを変更することにより第三者による恒久的な変更を回避できる一方、もし変更した当事者がパスワードを忘れると、以後、商品コラムテーブル９００、９００’の変更が不可能となってしまう。つまり、この場合、パスワードの管理が困難であるという問題がある。また、前述した（ニ）の場合も、乱数等を解くための送受信機を別途用意しなければならないため、パスワードの管理にコストが嵩むという問題がある。
【００１７】
本発明は、かかる課題に鑑みてなされたものであり、その目的とするところは、商品選択釦及び商品コラムの対応付けの設定が第三者により恒久的に変更され続けることを防止するとともに、暗証コードが容易に且つ低コストで管理可能な設定規制機能を有する自動販売機を提供することにある。
【課題を解決するための手段】
【００１８】
前記課題を解決するための発明は、複数の商品選択釦と、複数の商品コラムと、第１暗証コードを入力するための操作部と、前記操作部から入力される前記第１暗証コードの正誤を判別する判別部と、前記複数の商品選択釦と前記複数の商品コラムとを対応付ける設定部と、前記判別部が前記第１暗証コードを正であると判別した場合、前記設定部での対応付けを許可する制御部と、前記設定部での対応付けを示す第１情報を記憶する第１記憶部と、前記第１情報に基づいて、前記複数の商品選択釦に対応する前記複数の商品コラム内の商品を販売する販売部と、を備えた自動販売機であって、複数の継続する有効期間と複数の第２暗証コードとの対応付けを示す第２情報を記憶する第２記憶部、を備え、前記判別部は、前記第１暗証コードと、前記第１暗証コードが入力された時点を含む前記有効期間に対応付けられる前記第２暗証コードとから、前記第１暗証コードの正誤を判別し、前記制御部は、前記判別部が前記第１暗証コードを誤であると判別した場合、前記設定部での対応付けを禁止してなる。
【００１９】
この自動販売機によれば、第２記憶部が記憶する第２暗証コードは複数である上に、各第２暗証コードには、相互に継続する有効期間がそれぞれ対応付けられている。また、判別部は、第１暗証コードと、この入力時の有効期間に該当する第２暗証コードとから、第１暗証コードの正誤を判別する。もし第１暗証コードが誤っている場合、制御部は、設定部による第１情報の設定や変更等を禁止する。ここで、複数の第２暗証コードの数が増えるほど、その全ての第２暗証コードが例えば自動販売機の管理者側から第三者に漏洩するのはより困難となる。しかも、この第２暗証コードは、当該第２暗証コードとともに判別対象となる第１暗証コードの入力時に応じて異なり得る。このため、もし複数の第２暗証コードの一部が漏洩して、これが第１暗証コードとして入力されたとしても、その入力時によっては、誤っていると判別され、第１情報の設定や変更等が禁止される（設定規制）。更に、第２情報は、前述した管理者側で例えば紙データとして管理し、例えば商品コラムに商品の補充等を行う担当者は必要に応じてこの紙データを閲覧して現時点の第２暗証コードのみを記憶していればよいから、管理が容易且つ低コストである上に、例えばこの担当者から全ての第２情報が第三者に漏洩する危険性も低くなる。よって、第２情報の設定が第三者により恒久的に変更され続けることを防止するとともに、暗証コードが容易に且つ低コストで管理可能な設定規制機能を有する自動販売機が提供されることになる。
【００２０】
また、かかる自動販売機において、前記判別部は、前記第１暗証コードと、前記第１暗証コードが入力された時点を含む前記有効期間に対応付けられる前記第２暗証コードと、が一致しない場合、前記第１暗証コードを誤と判別する、ことが好ましい。
【００２１】
この自動販売機の第２記憶部では、第２暗証コードは、当該第２暗証コードとの一致の有無をもって正誤が判別される第１暗証コードの入力時に応じて異なり得るようになっている。よって、もし複数の第２暗証コードの一部が漏洩して、これが第１暗証コードとして入力されたとしても、その入力時によっては、前述した設定規制が行われる。
【００２２】
また、かかる自動販売機において、前記判別部は、前記第１暗証コードと、前記第１暗証コードが入力された時点を含む前記有効期間より前の前記有効期間に対応付けられる前記第２暗証コードと、が一致する場合、前記第１暗証コードを誤と判別する、ことが好ましい。
【００２３】
この自動販売機によれば、もし複数の第２暗証コードの一部が旧コード（前記有効期間より前の有効期間に対応付けられる第２暗証コード）として漏洩し、この旧コードの有効期間でない時期に第１暗証コードとして入力された場合、制御部により、設定部での対応付けが禁止される。これは、第三者がいわゆる旧コードを不正に使用したり、旧コードを故意に入力してその正誤を確認しようとしたりすることに対する抑止効果をもたらす。
【００２４】
また、かかる自動販売機において、現在時刻を計時する計時部と、前記計時部の計時時刻の過去時刻への変更を検出する検出部と、を備え、前記制御部は、前記検出部が前記計時部の計時時刻の過去時刻への変更を検出した場合、前記設定部での対応付けを禁止する、ことが好ましい。
【００２５】
この自動販売機によれば、以下の人間系の行為を防止できる。例えば、第三者が、漏洩した前記旧コードに有効期間があることを知り得たとする。この第三者は、計時部により計時される旧コードの入力時期を、この旧コードの有効期間内とするべく、計時部の計時時刻を過去時刻へ変更する虞がある。この場合、制御部により、設定部での対応付けが禁止される。これは、第三者がいわゆる旧コードを不正に使用することに対する抑止効果をもたらすものである。
【発明の効果】
【００２６】
商品選択釦及び商品コラムの対応付けの設定が第三者により恒久的に変更され続けることを防止するとともに、暗証コードが容易に且つ低コストで管理可能な設定規制機能を有する自動販売機を提供できる。
【発明を実施するための最良の形態】
【００２７】
＝＝＝構成概要＝＝＝
図１乃至図３を参照しつつ、本実施の形態の自動販売機１の構成例について説明する。図１は、本実施の形態の自動販売機１の外観構成例を示す正面図である。図２は、本実施の形態の自動販売機１の内部構成例を示す斜視図である。図３は、本実施の形態の自動販売機１の販売機構３００の動作例を示す部分断面図である。
【００２８】
図１に例示されるように、本実施の形態の自動販売機１は、本体２０（図２）と、この本体２０の開口面に対し開閉可能な前扉１０とを備えている。前扉１０は、その接客面において、サンプル１００ａ及び商品選択釦１００ｂからなるサンプルパネル１００、硬貨投入口１１０、紙幣挿入口１２０、投入金額や残金等を表示する表示パネル１３０、投入金額や残金分の硬貨又は紙幣を返却するための返却レバー１４０、商品取出口１５０、例えば釣銭がある場合これを受け取るための金銭返却口１５５等を備えている。
【００２９】
本実施の形態のサンプルパネル１００は、例えば、複数種類のサンプル１００ａと、顧客がこのサンプル１００ａに対応する商品を選択するための商品選択釦１００ｂとが対をなすユニットが、上下方向（Ｙ方向）及び左右方向（Ｘ方向）に複数配置されて構成されている。つまり、図１の例示によれば、サンプルＡの真下に商品選択釦Ａが配置されてユニットＡをなし、これがユニットＢ、ユニットＣ等とともに配置されてサンプルパネル１００を構成している。ここで、本実施の形態のサンプル１００ａは、例えば前扉１０の裏面（接客面と反対側の面）に設けられた内扉（不図示）から入れ換えが可能となっている。
【００３０】
尚、サンプルパネル１００は、上記構成に限定されるものではなく、要するに、接客面において少なくとも商品選択釦１００ｂが複数配置されたものであれば如何なる構成を備えていてもよい。
【００３１】
図２に例示されるように、前述した前扉１０の裏面及び本体２０の内部には、商品を収容する商品コラム１６０、２００が複数設けられている。本実施の形態の商品コラム１６０、２００は、複数の商品を上下方向（Ｙ方向）に積載して収容する構成を備えている。各商品コラム１６０、２００の商品は、顧客に対し以下のようにして販売される。即ち、商品コラム１６０、２００の最下段にある商品が、後述する販売機構３００（図３）により払い出され、シュータ２１０を経由して、商品取出口１５０に自然落下する。
【００３２】
本実施の形態の商品コラム１６０、２００は、前扉１０の裏面及び本体２０の内部に複数配置されている。図２の例示によれば、例えば、本体２０開口面の右端（＋Ｘ側）に１番の商品コラム２００及び２番の商品コラム２００が上下に配置され、この１番及び２番の左側（−Ｘ側）に隣接するように、３番の商品コラム２００及び４番の商品コラム２００が上下に配置されている。５番以降の商品コラム１６０、２００についても同様である。
【００３３】
尚、商品コラム１６０、２００は、上記構成に限定されるものではなく、要するに、同一の商品を複数収容する商品コラムが自動販売機１の内部に複数設けられたものであれば如何なる構成を備えていてもよい。
【００３４】
図３（ａ）に例示されるように、前述した商品コラム２００は、前後（Ｚ方向）に対をなすガイド２０１と、この商品コラム２００の底部を形成するベース２０２とを備えて構成されている。一方、販売機構（販売部）３００は、商品コラム２００における最下段の商品を載置するとともにベース２０２上で前後に摺動可能なスライダ３０１と、駆動モータ３０４（図４）により前後に移動可能なスライド板３０２と、このスライド板３０２に固定されたソレノイド３０３とを備えて構成されている。このソレノイド３０３は突起部３０３ａ及びコイル部３０３ｂを有している。以下、同図に例示される商品コラム２００の商品を販売する際の本実施の形態の販売機構３００の動作例について説明する。
【００３５】
図３（ｂ）に例示されるように、コイル部３０３ｂに電流を供給してソレノイド３０３を励磁すると、突起部３０３ａが上方（＋Ｙ側）に突出し、スライド板３０２をはさんでスライダ３０２に係合する。  
図３（ｃ）に例示されるように、駆動モータ３０４に駆動されてスライド板３０２が後方（−Ｚ側）に移動すると、これにともなってスライダ３０１がベース２０２上を後方に摺動する。これにより、スライダ３０１上に載置されていた商品が落下して今度はベース２０２上に載置される。  
図３（ｄ）に例示されるように、駆動モータ３０４に駆動されてスライド板３０２が前方（＋Ｚ側）に移動すると、これにともなってベース２０２上の商品が前方に押し出されてベース２０２からシュータ２１０（図２）へ落下する。その後、ソレノイド３０３は励磁を停止して突起部３０３ａはコイル部３０３ｂ内に退避する。
【００３６】
尚、販売機構３００は、上記構成に限定されるものではなく、要するに、商品コラム２００の商品をシュータ２１０に向けて払い出す機能を果たすものであればいかなる構成を備えていてもよい。
【００３７】
＝＝＝商品コラム設定規制機能＝＝＝
図４及び図５を参照しつつ、本実施の形態の商品コラム設定規制機能を実行するための自動販売機１の構成例について説明する。図４は、本実施の形態の自動販売機１の制御を司る構成の一例を示すブロック図である。図５（ａ）は、本実施の形態の自動販売機１のＲＡＭ４０２に記憶された商品コラムテーブル４０２ａの構成例を示す図表である。図５（ｂ）は、本実施の形態の自動販売機１のＲＯＭ４０３に記憶された期間パスワードテーブル４０３ａの構成例を示す図表である。
【００３８】
図４に例示されるように、本実施の形態の自動販売機１の制御を司る構成は、主制御部４００及び複数の従制御部４１０、４２０、４３０、４４０、４５０からなっている。
【００３９】
本実施の形態の主制御部（設定部、判別部、検出部、制御部）４１０は、自動販売機１の制御を統括するものであり、主として、ＣＰＵ４０１、ＲＡＭ４０２、及びＲＯＭ４０３を有し、更に、第１タイマ４０４、第２タイマ４０５、第３タイマ４０６等を有するものである。つまり、主制御部４００は、マイクロコンピュータを中心として動作する。ＣＰＵ４０１は、例えばＲＯＭ４０３から読み出したプログラムの解読結果に基づいて、複数の従制御部４１０、４２０、４３０、４４０、４５０を統括制御するものである。ここで、ＲＡＭ４０２は、例えば、ＣＰＵ４０１による演算結果や、複数の従制御部４１０、４２０、４３０、４４０、４５０からの各種データ等を記憶するものである。
【００４０】
また、本実施の形態のＲＡＭ（第１記憶部、第２記憶部）４０２は、後述する、商品選択釦１００ｂ及び商品コラム１６０、２００を対応付けた商品コラムテーブル（第１情報）４０２ａと、この商品コラムテーブル４０２ａの設定や変更等に対する規制を解除するためのパスワード（第２暗証コード、第２情報）４０２ｂとを更に記憶するものである。
【００４１】
また、本実施の形態のＲＯＭ（第２記憶部）４０３は、後述する、ＲＡＭ４０２に記憶するべきパスワード４０２ｂと、このＲＡＭ４０２に記憶するべき時期とを対応付けた期間パスワードテーブル（第２情報）４０３ａを更に記憶するものである。
【００４２】
本実施の形態では、第１タイマ（計時部）４０４は現在の日付及び時刻を計測するものであり、第２タイマ４０５は後述する所定の期間を計測するものであり、第３タイマ４０６は外部から変更不可能な基準となる日付及び時刻を計測するもの（例えば電波時計）である。
【００４３】
また、図４に例示されるように、本実施の形態の硬貨処理制御部４１０、紙幣処理制御部４２０、接客制御部４３０、販売制御部４４０、及び入出力制御部４５０は、主制御部４００に対する複数の従制御部に相当する。
【００４４】
硬貨投入機構４１１は、硬貨処理制御部４１０に制御されて、主として、硬貨投入口１１０からの投入硬貨を受け取る機能を有するものである。紙幣挿入機構４２１は、紙幣処理制御部４２０に制御されて、主として、紙幣挿入口１２０からの挿入紙幣を受け取る機能を有するものである。
【００４５】
接客制御部４３０は、主として、接客面上の複数の商品選択釦１００ｂ（図１）の何れが押下されたのかを検出し、押下された商品選択釦１００ｂを示す検出信号を主制御部４００に送信する機能を有するものである。
【００４６】
販売制御部４４０は、主として、前述した販売機構３００（図３）を構成するソレノイド３０３及び駆動モータ３０４を制御し、接客制御部４３０からの検出信号に応答した主制御部４００からの販売指示に従って、検出信号に対応する商品コラム１６０、２００から商品を払い出して販売する機能を有するものである。
【００４７】
入出力制御部４５０は、主として、コントロールパネル（操作部）４５１を通じての入力情報を主制御部４００に送信する機能を有するものである。コントロールパネル４５１は、例えば前扉１０（図２）の裏面に着脱可能に配設されて、後述する商品コラムテーブル４０２ａの設定等を行う際に操作するものである。本実施の形態のコントロールパネル４５１は、後述するパスワード（第１暗証コード）等を入力するためのキーボード４５１ａ及び後述するメニュー画面等を表示するためのディスプレイ４５１ｂを備えて構成されている。
【００４８】
＜＜＜商品コラムテーブル＞＞＞
図５（ａ）に例示されるように、商品コラムテーブル４０２ａは、商品選択釦１００ｂと商品コラム１６０、２００とを対応付けたものである。同図の例示では、サンプルＡの商品選択釦Ａには、商品コラム１番が対応付けられている。つまり、商品コラム設定とは、商品コラムテーブル４０２ａの設定を意味する。これにより、商品選択釦Ａが押下された場合、接客制御部４３０は、商品選択釦Ａを示す検出信号を主制御部４００に送信する。主制御部４００は、商品コラムテーブル４０２ａにおいて商品選択釦Ａに対応する商品コラム１番を示す販売指示を、販売制御部４４０に送信する。
【００４９】
本実施の形態の商品コラムテーブル４０２ａの生成プロセスの一例として、自動販売機１の工場出荷時に初期設定が行われ、その後、商品のメーカ等の担当者により初期設定に対する変更が行われるといったものが挙げられる。後述するように、本実施の形態では、この初期設定に対する変更の際にパスワードの入力が必要となる。
【００５０】
＜＜＜期間パスワードテーブル＞＞＞
図５（ｂ）に例示されるように、期間パスワードテーブル４０３ａは、複数のパスワードのそれぞれに対し、異なる有効期間が対応付けられている。同図の例示では、例えば１０個のパスワードのそれぞれに対し例えば半年ずつの有効期間が例えば５年分対応し、次の５年分についても前記１０個のパスワードが同様のパターンで対応している。同図の例示では、１０個のパスワードは、このような５年周期で繰り返し使用されるようになっている。
【００５１】
本実施の形態の期間パスワードテーブル４０３ａの管理方法の一例を挙げる。即ち、期間パスワードテーブル４０３ａと同一の情報を商品メーカ等の会社が例えば紙データとして管理し、自動販売機１に対し商品の補充等を行う担当者はこの社内でのみ閲覧可能としておく。担当者は、必要に応じて、社内に保管された紙データを閲覧し、現時点のパスワードのみを記憶していればよい。但し、管理方法はこれに限定されるものではない。
【００５２】
尚、期間パスワードテーブル４０３ａは、上記構成に限定されるものではない。複数のパスワードにそれぞれ対応する有効期間（図５（ｂ）では半年間）は全て同じ長さである必要はなく、例えばパスワードごとに異なる長さの有効期間が対応付けられていてもよい。また、複数のパスワードを所定周期（図５（ｂ）では５年間）ごとに繰り返し対応付ける場合、全ての周期において複数のパスワードの順序を一定とする必要はなく、例えばランダムな順序であってもよい。つまり、５年分（X年4月1日乃至(X+5)年3月31日）のパスワード１番乃至１０番を半年ずつの有効期間とそれぞれ対応付けた場合、次の５年間（（(X+5)年4月1日乃至(X+10)年3月31日）に対しては、例えばパスワード１０番乃至１番の順序で対応付けてもよい。
【００５３】
＝＝＝商品コラム設定規制方法＝＝＝
図６を参照しつつ、前述した構成を備えた自動販売機１の商品コラム設定規制方法について説明する。同図は、商品コラム設定時における本実施の形態の主制御部４００の処理の手順の一例を示すフローチャートである。
【００５４】
前提として、商品コラム設定を行うべく、先ず、自動販売機１の前扉１０が開放されてコントロールパネル４５１を通じて所定の入力操作が行われているものとする。コントロールパネル４５１のディスプレイ４５１ｂには、例えば複数種類の設定対象のうちの１つを選択するためのメニュー画面が表示されているものとする。
【００５５】
図６に例示されるように、主制御部４００は、コントロールパネル４５１のディスプレイ４５１ｂに前述したメニュー画面を表示する（Ｓ１００）。  
主制御部４００は、設定対象の入力の有無を判別する（Ｓ１０１）。もし、設定対象として商品コラム以外が選択されたと判別した場合（Ｓ１０１：ＹＥＳ、Ｓ１０２：ＮＯ）、主制御部４００は、選択された対象の設定動作を実行する（Ｓ２００）。一方、設定対象として商品コラムが選択されたと判別した場合（Ｓ１０１：ＹＥＳ、Ｓ１０２：ＹＥＳ）、主制御部４００は、パスワード入力を促すメッセージをディスプレイ４５１ｂに表示する（Ｓ１０３）。  
主制御部４００は、パスワードの入力の有無を判別する（Ｓ１０４）。パスワードが入力されたと判別すると（Ｓ１０４：ＹＥＳ）、主制御部４００は、ＲＡＭ４０２に記憶されたパスワード４０２ｂを読み出す（Ｓ１０５）。
【００５６】
尚、本実施の形態の主制御部４００は、例えば、第１タイマ４０４により計測される現在の日付が変わる都度、この日付が、期間パスワードテーブル４０３ａにおける有効期間の境界にあたる日付（図５（ｂ）では「４月１日」又は「１０月１日」）か否かを判別し、境界にあたる日付の場合、新たな有効期間に対応付けられた新たなパスワードにより、ＲＡＭ４０２のパスワード４０２ｂを更新する機能を有するものである。これにより、前述したステップＳ１０５で読み出したパスワード４０２ｂは、確かに、コントロールパネル４５１を通じて商品コラム設定を選択する旨が入力された時期に対応するパスワードということになる。この場合、本実施の形態の第２情報は、パスワード４０２ｂ及び期間パスワードテーブル４０３ａに相当し、本実施の形態の第２記憶部は、ＲＡＭ４０２及びＲＯＭ４０３に相当する。
【００５７】
また、参照パスワードの読み出しは上記の方法に限定されるものではない。例えば、前述したステップＳ１０４：ＹＥＳの処理の後、主制御部４００は、第１タイマ４０４により計測された現在の日付を参照し、期間パスワードテーブル４０３ａにおいて、この日付に該当するパスワードを参照パスワードとしてもよい。この場合、本実施の形態の第２情報は、期間パスワードテーブル４０３ａに相当し、本実施の形態の第２記憶部は、ＲＯＭ４０３に相当する。
【００５８】
主制御部４００は、前述したステップＳ１０４：ＹＥＳで入力された「入力パスワード」と、前述したステップＳ１０５で読み出した「参照パスワード」とが一致するか否かを判別する（Ｓ１０６）。
【００５９】
＜＜＜パスワードが正しい場合＞＞＞
入力パスワードと参照パスワードとが一致すると判別した場合（Ｓ１０６：ＹＥＳ）、主制御部４００は、商品コラムテーブル４０２ａを設定又は変更するための情報の入力を促すメッセージをディスプレイ４５１ｂに表示する（Ｓ１０７）。  
主制御部４００は、設定又は変更の情報の入力の有無を判別する（Ｓ１０８）。設定又は変更の情報が入力されたと判別すると（Ｓ１０８：ＹＥＳ）、主制御部４００は、この情報によりＲＡＭ４０２の商品コラムテーブル４０２ａを更新する（Ｓ１０９）。
【００６０】
＜＜＜パスワードが間違っている（しかも旧パスワードである）場合＞＞＞
入力パスワードと参照パスワードとが一致しないと判別した場合（Ｓ１０６：ＮＯ）、主制御部４００は、期間パスワードテーブル４０３ｂを参照して例えば現在の参照パスワード以外の全てのパスワード（旧パスワード）を読み出し、入力パスワードと旧パスワードとが一致するか否かを再度判別する（Ｓ１１０）。  
入力パスワードと旧パスワードとが一致すると判別した場合（Ｓ１１０：ＹＥＳ）、主制御部４００は、第２タイマ４０５をリセットした後に計測を開始し（Ｓ１１１）、ディスプレイ４５１ｂに前述と同様のメニュー画面を表示する（Ｓ１１２）。
【００６１】
つまり、本実施の形態では、入力パスワードが間違っている上にこれが旧パスワードであった場合、その後の入力は当然受け付けられない上に、パスワードの再入力を促されることもなく、ディスプレイ４５１ｂの表示は強制的にメニュー画面に戻るようになっている。このメニュー画面以後の所定期間は、商品コラム設定以外は通常通り処理される一方、商品コラム設定だけは全く処理されないようになっている（Ｓ１１３、Ｓ１１４、Ｓ１１５、Ｓ３００、Ｓ３０１）。
【００６２】
以下、具体的な処理手順について述べる。先ず、主制御部４００は、設定対象の入力の有無を判別する（Ｓ１１３）。
【００６３】
もし、設定対象として商品コラム以外が選択されたと判別した場合（Ｓ１１３：ＹＥＳ、Ｓ１１４：ＮＯ）、主制御部４００は、選択された対象の設定動作を実行する（Ｓ３００）。次に、主制御部４００は、第２タイマ４０５により計測された期間Ｔが所定期間（例えばＮ日間）に達したか否かを判別し（Ｓ３０１）、ＴがＮ日間に達している場合（Ｓ３０１：ＹＥＳ）、ステップＳ１００の処理に戻り、ＴがＮ日間に達していない場合（Ｓ３０１：ＮＯ）、ステップＳ１１２の処理を再度実行する。
【００６４】
一方、設定対象として商品コラムが選択されたと判別した場合（Ｓ１１３：ＹＥＳ、Ｓ１１４：ＹＥＳ）、主制御部４００は、第２タイマ４０５により計測された期間Ｔが所定期間（例えばＮ日間）に達したか否かを判別し（Ｓ１１５）、ＴがＮ日間に達している場合（Ｓ１１５：ＹＥＳ）、ステップＳ１０３の処理を実行し、ＴがＮ日間に達していない場合（Ｓ１１５：ＮＯ）、ステップＳ１１２の処理を再度実行する。
【００６５】
＜＜＜パスワードが間違っている（但し旧パスワードではない）場合＞＞＞
入力パスワードが参照パスワード及び旧パスワードの何れとも一致しないと判別した場合（Ｓ１０６：ＮＯ、Ｓ１１０：ＮＯ）、主制御部４００は、パスワード入力を促すメッセージをディスプレイ４５１ｂに再度表示する（Ｓ１０３）。
【００６６】
＝＝＝タイマ設定規制方法＝＝＝
図７を参照しつつ、前述した構成を備えた自動販売機１のタイマ設定規制方法について説明する。同図は、タイマ設定時（日付・時刻設定）における本実施の形態の主制御部４００の処理の手順の一例を示すフローチャートである。
【００６７】
前提として、タイマ設定を行うべく、先ず、自動販売機１の前扉１０が開放されてコントロールパネル４５１を通じて所定の入力操作が行われているものとする。コントロールパネル４５１のディスプレイ４５１ｂには、例えば複数種類の設定対象のうちの１つを選択するためのメニュー画面が表示されているものとする。
【００６８】
図７に例示されるように、主制御部４００は、コントロールパネル４５１のディスプレイ４５１ｂに前述したメニュー画面を表示する（Ｓ４００）。  
主制御部４００は、設定対象の入力の有無を判別する（Ｓ４０１）。もし、設定対象としてタイマ以外が選択されたと判別した場合（Ｓ４０１：ＹＥＳ、Ｓ４０２：ＮＯ）、主制御部４００は、選択された対象の設定動作を実行する（Ｓ５００）。一方、設定対象としてタイマが選択されたと判別した場合（Ｓ４０１：ＹＥＳ、Ｓ４０２：ＹＥＳ）、主制御部４００は、タイマ設定を促すメッセージをディスプレイ４５１ｂに表示する（Ｓ４０３）。
【００６９】
以下、説明の都合上、時期の変更のし方は、時・分の部分のみの変更、年・月・日の部分のみの変更、又は何れの部分も変更しない、のうちの何れかであるとする。但し、これに限定されるものではなく、実際は、年・月・日の部分とともに時・分の部分を変更することもあり得る。
【００７０】
＜＜＜時・分の変更の場合＞＞＞
主制御部４００は、時・分の変更を示す入力の有無を判別する（Ｓ４０４）。時・分の変更を示す入力があったと判別すると（Ｓ４０４：ＹＥＳ）、主制御部４００は、第１タイマ４０４を入力通りに変更する（Ｓ４０５）。
【００７１】
＜＜＜年・月・日の変更の場合＞＞＞
年・月・日の変更を示す入力があったと判別すると（Ｓ４０４：ＮＯ、Ｓ４０６：ＹＥＳ）、主制御部４００は、第２タイマ４０５をリセットした後に計測を開始し（Ｓ４０７）、ディスプレイ４５１ｂに前述と同様のメニュー画面を表示する（Ｓ４０８）。  
つまり、本実施の形態では、年・月・日が変更されようとした場合、その入力は当然受け付けられずに、ディスプレイ４５１ｂの表示は強制的にメニュー画面に戻るようになっている。このメニュー画面以後の所定期間は、商品コラム設定及びタイマ設定以外は通常通り処理される一方、商品コラム設定及びタイマ設定だけは全く処理されないようになっている（Ｓ４０９、Ｓ４１０、Ｓ４１１、Ｓ６００、Ｓ６０１）。
【００７２】
以下、具体的な処理手順について述べる。先ず、主制御部４００は、設定対象の入力の有無を判別する（Ｓ４０９）。
【００７３】
もし、設定対象として商品コラム及びタイマ以外が選択されたと判別した場合（Ｓ４０９：ＹＥＳ、Ｓ４１０：ＮＯ）、主制御部４００は、選択された対象の設定動作を実行する（Ｓ６００）。次に、主制御部４００は、第２タイマ４０５により計測された期間Ｔが所定期間（例えばＮ日間）に達したか否かを判別し（Ｓ６０１）、ＴがＮ日間に達している場合（Ｓ６０１：ＹＥＳ）、ステップＳ４００の処理に戻り、ＴがＮ日間に達していない場合（Ｓ６０１：ＮＯ）、ステップＳ４０８の処理を再度実行する。
【００７４】
一方、設定対象として商品コラム又はタイマが選択されたと判別した場合（Ｓ４０９：ＹＥＳ、Ｓ４１０：ＹＥＳ）、主制御部４００は、第２タイマ４０５により計測された期間Ｔが所定期間（例えばＮ日間）に達したか否かを判別し（Ｓ４１１）、ＴがＮ日間に達している場合（Ｓ４１１：ＹＥＳ）、ステップＳ４０２の処理を実行し、ＴがＮ日間に達していない場合（Ｓ４１１：ＮＯ）、ステップＳ４０８の処理を再度実行する。
【００７５】
以上のタイマ設定規制により、以下の人間系の行為を防止できる。例えば、第１タイマ４０４の時期を日、月、又は年の単位で変更することにより、期間パスワードテーブル４０３ａにおける複数のパスワードのうちの一部のみを用いて前述した商品コラム設定規制を解除する行為を防止できる。
【００７６】
尚、前述した主制御部４００の処理だけでは、如何なる者も第１タイマ４０４の年・月・日を変更できないことになってしまうため、都合が悪い。そこで、本実施の形態の自動販売機１では、例えばコントロールパネル４５１に所定のマスタキー入力手段（不図示）を設けて、このマスタキー入力手段を通じて所定の入力があった場合に限り、第１タイマ４０４の示す時期を例えば第３タイマ４０６の示す時期により校正可能な機能が設けられているものとする。マスタキーは物理的手段であるため、これを管理者が適正に管理する限り、漏洩する虞は無い。
【００７７】
また、前述したタイマ設定規制では、上記マスタキー（不図示）を使用しない限り、年・月・日の設定を変更しようとしても、変更そのものが受け付けられないようになっているが、これに限定されるものではない。例えば、第１タイマ４０４は、第三者がコントロールパネル４５１を通じて年・月・日の設定を変更可能な構成となっているが、その結果、所定期間だけ商品コラム設定又はタイマ設定が禁止されるようになっていてもよい。この場合、不正に変更された第１タイマ４０４の示す時期は、例えば第３タイマ４０６の示す時期で自動的に校正されることが好ましい。この校正のタイミングは、例えば商品コラム設定又はタイマ設定が禁止されている前記所定期間中または当該期間の直後であることが好ましい。
【００７８】
＝＝＝漏洩し難い上にその管理が容易且つ低コストのパスワード＝＝＝
本実施の形態の自動販売機１によれば、ＲＡＭ４０３が記憶する期間パスワードテーブル４０３ａは、複数のパスワードのそれぞれに有効期間が対応付けられている。これにより、商品コラム設定の際にコントロールパネル４５１を通じて入力操作を行った時期がどの有効期間内であるかに応じて参照パスワードが異なるため、例えば複数のうちの一部のパスワードが漏洩したとしても、残りのパスワードの有効期間では、漏洩した一部のパスワードにより設定動作を行うことができない。パスワードの数が増えるほどその全てが漏洩することはむしろ難しいため、残りのパスワードが漏洩していない限り、商品コラム設定が第三者により恒久的に変更され続けることはない。また、期間パスワードテーブル４０３ａは、自動販売機１の管理者側で例えば紙データとして管理し、自動販売機１に商品の補充等を行う担当者は必要に応じてこの紙データを閲覧して現時点のパスワードのみを記憶していればよいから、管理が容易且つ低コストである上に、例えばこの担当者から全てのパスワードが漏洩する危険性も低くなる。
【００７９】
また、本実施の形態の自動販売機１によれば、もし一部のパスワードが漏洩しこのパスワードの有効期間でない時期に使用された場合、主制御部４００が前述したＳ１１０乃至Ｓ１１５、Ｓ３００、及びＳ３０１の処理を実行することにより、所定期間（例えばＮ日間）だけ商品コラム設定が禁止される。これは、第三者がいわゆる旧パスワードを不正に使用したり、旧パスワードを故意に使用してその正誤を確認しようとしたりすることに対する抑止効果をもたらす。
【００８０】
更に、本実施の形態の自動販売機１によれば、以下の人間系の行為を防止できる。例えば、第三者が、漏洩した旧パスワードに有効期間があることを知り得たとする。この第三者は、第１タイマ４０４の示す時期を、旧パスワードの有効期間内とするべく、日、月、又は年の単位で変更する虞がある。この場合、主制御部４００が前述したＳ４０６乃至Ｓ４１１、Ｓ６００、及びＳ６０１の処理を実行することにより、所定期間（例えばＮ日間）だけタイマ設定とともに商品コラム設定が禁止される。これは、第三者がいわゆる旧パスワードを不正に使用することに対する抑止効果をもたらすものである。  
但し、前述した所定期間（例えばＮ日間）は、これに限定されるものではなく、例えば、不正行為の直後に設定規制が行われるだけであってもよい。
【００８１】
以上により、本実施の形態の自動販売機１は、空いたサンプル１００ａ及び商品コラム１６０、２００に他社のサンプル及び商品が入れられたり、自社の商品の一部が他社の商品に交換された上に「売れ筋」のサンプル１００ａの位置まで奪われたり、という「やどかり商法」の被害を受け難くなる。
【００８２】
尚、前述した実施の形態では、タイマ設定規制は年・月・日の変更に対するものであったが、これに限定されるものではない。この年・月・日の変更に対する規制は、期間パスワードテーブル４０３ａにおける各パスワードの有効期間が半年であることに対応するものである。よって、この有効期間の長さに応じたタイマ設定規制が行われればよい。
【００８３】
また、前述した実施の形態では、商品コラム設定規制及びタイマ設定規制を、図６及び図７に例示されるそれぞれ異なるフローチャートで説明したが、これは説明の便宜上のことである。実際には、商品コラム設定規制及びタイマ設定規制を組み合わせた処理が行われてもよい。例えば、（第三者により）旧パスワードが試された場合に限り、タイマ設定規制が行われるようになっていてもよい。
【００８４】
更に、前述した実施の形態の自動販売機１は、旧パスワードの入力が試されたり、第１タイマ４０４０の年・月・日の変更が行われたりした場合には、所定期間だけ商品コラム設定又はタイマ設定が禁止される（ペナルティ機能）ものであったが、これに限定されるものではなく、例えばこのようなペナルティ機能は必須の構成ではない。
【００８５】
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【図面の簡単な説明】
【００８６】
【図１】本実施の形態の自動販売機の外観構成例を示す正面図である。
【図２】本実施の形態の自動販売機の内部構成例を示す斜視図である。
【図３】本実施の形態の自動販売機の販売機構の動作例を示す部分断面図である。
【図４】本実施の形態の自動販売機の制御を司る構成の一例を示すブロック図である。
【図５】（ａ）は、本実施の形態の自動販売機のＲＡＭに記憶された商品コラムテーブルの構成例を示す図表であり、（ｂ）は、本実施の形態の自動販売機のＲＯＭに記憶された期間パスワードテーブルの構成例を示す図表である。
【図６】商品コラム設定時における本実施の形態の主制御部の処理の手順の一例を示すフローチャートである。
【図７】タイマ設定時（日付・時刻設定）における本実施の形態の主制御部の処理の手順の一例を示すフローチャートである。
【図８】自動販売機の前扉の接客面におけるサンプルの配置例、商品コラムにおける商品の収容例、及び商品コラムテーブルの構成例を示す模式図である。
【符号の説明】
【００８７】
１    自動販売機                  ９  自動販売機
１０  前扉                        ２０  本体
９１  前扉                        ９２  本体
９３ａ  サンプル                  ９３ｂ  商品選択釦
９４  硬貨投入口                  ９５  商品取出口
９６  商品コラム                  ９７  シュータ
１００  サンプルパネル            １００ａ  サンプル
１００ｂ  商品選択釦              １１０  硬貨投入口
１２０  紙幣挿入口                １３０  表示パネル
１４０  返却レバー                １５０  商品取出口
１５５  金銭返却口                １６０  商品コラム
２００  商品コラム                ２０１  ガイド
２０２  ベース                    ２１０  シュータ
３００  販売機構                  ３０１  スライダ
３０２  スライド板                ３０３  ソレノイド
３０３ａ  突起部                  ３０３ｂ  コイル
３０４  駆動モータ                ４００  主制御部
４０１  ＣＰＵ                    ４０２  ＲＡＭ
４０２ａ  商品コラムテーブル      ４０２ｂ  パスワード
４０３  ＲＯＭ                    ４０３ａ  期間パスワードテーブル
４０４  第１タイマ                ４０５  第２タイマ
４０６  第３タイマ                ４１０  硬貨処理制御部
４１１  硬貨投入機構              ４２０  紙幣処理制御部
４２１  紙幣挿入機構              ４３０  接客制御部
４４０  販売制御部                ４５０  入出力制御部
４５１  コントロールパネル        ４５１ａ  キーボード
４５１ｂ  ディスプレイ            ９００、９００’  商品コラムテーブル
【図１】
2007226676.tif 000003
【図２】
2007226676.tif 000004
【図３】
2007226676.tif 000005
【図４】
2007226676.tif 000006
【図５】
2007226676.tif 000007
【図６】
2007226676.tif 000008
【図７】
2007226676.tif 000009
【図８】
2007226676.tif 000010